(57)【要約】【課題】外断熱壁による断熱効果をより高めることを可能とした断熱構造を提案する。【解決手段】外断熱壁１と、屋内の空気ａを屋外へ排出する排気設備２と、を備える断熱構造Ａであって、外断熱壁１が、壁本体１０と、壁本体１０の外側面に設置された断熱材１１と、断熱材１１の外側を覆う外殻１２と、断熱材１１と外殻１２との間に形成されて当該外断熱壁１の下部において開口する通気層１３と、を備えてなり、排気設備２が、外断熱壁１の上部において通気層１３に接続する排気管２０を備えていて、排気管２０から通気層１３へ排出された屋内の空気ａを、通気層１３を介して屋外へと排出する。【選択図】図１
2010031578.tif 000002
【特許請求の範囲】
【請求項１】
外断熱壁と、屋内の空気を屋外へ排出する排気設備と、を備える断熱構造であって、
前記外断熱壁が、壁本体と、前記壁本体の外側面に設置された断熱材と、前記断熱材の外側を覆う外殻と、前記断熱材と前記外殻との間に形成されて当該外断熱壁の下部において開口する通気層と、を備えてなり、
前記排気設備が、前記外断熱壁の上部において前記通気層に接続する排気管を備えていて、
前記排気管から前記通気層へ排出された前記屋内の空気を、前記通気層を介して屋外へと排出することを特徴とする、断熱構造。
【請求項２】
前記排気管が、前記通気層内において水平方向に前記屋内の空気を排出するように構成されていることを特徴とする、請求項１に記載の断熱構造。
【発明の詳細な説明】
【技術分野】
【０００１】
本発明は、断熱構造に関する。
【背景技術】
【０００２】
外断熱壁は、例えば特許文献１に示すように、壁本体の外面に貼着された断熱材の外側と外殻との間に外断熱壁の下部から上部に連続する通気層を設けているのが一般的である。これは、外断熱壁の下部から外気を取り入れて、外断熱壁の上部から排出することにより、室内側から室外側に移動してくる湿気が断熱材の内部に溜まることを防止するためである。
【０００３】
この外断熱壁は、日射による温度上昇に伴う温度差で発生する上昇流や、風圧等による上昇流により外断熱壁内の通気層に外気を取り入れて湿気を排出するものであるが、曇天時や雨天時または無風時には、通気層の換気効果を期待することができない場合があった。
【０００４】
そのため、特許文献２には、図６に示すように、室内の暖房機１２０の排気を通気層１１３に送り込むことにより、無風時においても通気層１１３内に上昇流を形成させる外断熱構造が開示されている。この外断熱構造によれば、通気層１１３に形成された上昇流により、外気ａ’が外断熱壁１０１の下部から通気層１１３内に取り込まれることが可能となる。
【０００５】
【特許文献１】実用新案登録第３１００４４５号公報
【特許文献２】特開２００２−２９４８８６号公報
【発明の開示】
【発明が解決しようとする課題】
【０００６】
ところが、従来の外断熱構造は、湿気の排出を目的として、通気層１１３内の上昇流により外気ａ’を取り入れて、換気を行う構造のため、断熱材１１１の外側表面（通気層１１３内）の温度は、外気ａ’の温度とほぼ等しくなっていた。
そのため、従来の外断熱構造における断熱性能の良否は、断熱材１１１の断熱性能をそのまま依存することになる。
【０００７】
本発明は、前記の問題点を解決することを目的とするものであり、外断熱壁による断熱効果をより高めることを可能とした断熱構造を提案することを課題とする。
【課題を解決するための手段】
【０００８】
前記課題を解決するために、本発明は、外断熱壁と、屋内の空気を屋外へ排出する排気設備と、を備える断熱構造であって、前記外断熱壁が、壁本体と、前記壁本体の外側面に設置された断熱材と、前記断熱材の外側を覆う外殻と、前記断熱材と前記外殻との間に形成されて当該外断熱壁の下部において開口する通気層と、を備えてなり、前記排気設備が、前記外断熱壁の上部において前記通気層に接続する排気管を備えていて、前記通気層が、前記排気管から該通気層の上部に排気された前記屋内の空気を、下部から屋外へと排出することを特徴としている。
【０００９】
かかる断熱構造によれば、断熱材の外側に設けられた通気層に室内からの排気を通過させるため、断熱材の外側表面の温度を居室内の温度に近づけることが可能となる。そのため、居室内の排熱エネルギーを利用して、断熱効果をより高めることが可能となる。
また、従来の外断熱壁は、通気層の上部と下部に開口部が形成されていることで、外気が通気層に導入されてしまうのに対し、本発明に係る断熱構造は、通気層の下部のみにおいて開口されているため、外気が通気層内に導入されることがなく、居室内の排熱エネルギーを有効に利用することが可能となる。
【００１０】
また、前記排気管が、前記通気層内において水平方向に前記屋内の空気を排出するように構成されていれば、通気層全体に居室内からの排気を行き渡らせることが可能となり、断熱壁の温度分布を均一化する方向に作用する。
【発明の効果】
【００１１】
本発明の断熱構造によれば、より高い断熱効果を備えた断熱壁を構成することが可能となる。
【発明を実施するための最良の形態】
【００１２】
以下、本発明の好適な実施の形態について、図面を参照して詳細に説明する。
本実施形態に係る断熱構造Ａは、図１に示すように、外断熱壁１と、排気設備２とを備えて構成されている。
【００１３】
外断熱壁１は、図１に示すように、屋内５側に配設された壁本体１０と、壁本体１０の外側面に設置された断熱材１１と、断熱材１１の外側（屋外６側）を覆う外殻１２と、断熱材１１と外殻１２との間に形成されて外断熱壁１の下部において開口する通気層１３と、を備えてなる。
【００１４】
壁本体１０は、プレキャスト製のパネル部材からなり、その上部と下部において、天井スラブ３および床スラブ４にそれぞれ治具により固定されている。壁本体１０を構成する材料は限定させるものではなく、適宜公知の材料から選定して採用することが可能である。
【００１５】
断熱材１１は、壁本体１０の外側（屋外６側）面を覆うように貼着されている。なお、断熱材１１には、適宜公知の材料が採用可能である。また、断熱材１１の固定方法は限定されるものではなく、適宜公知の手段により行えばよい。
【００１６】
外殻１２は、外断熱壁１の外側（屋外６側）面を覆う外装材である。本実施形態では、パネル部材からなる外殻１２を、断熱材１１の外側面から所定の隙間（通気層１３）をあけて配置する。
外殻１２の構成や材料は限定されるものではなく、適宜設定すればよい。
【００１７】
外殻１２の下部には、開口部１４が形成されている。開口部１４は、通気層１３内に送気された屋内の空気ａを排気することが可能な形状（大きさ）に構成されている。本実施形態では、外殻１２と床スラブ４との間に隙間を形成することにより開口部１４を形成するものとする。なお、開口部１４の形成方法は限定されるものではなく、例えば、外殻１２の下端部を切り欠くことや、孔を貫通させることにより形成してもよい。
【００１８】
通気層１３は、断熱材１１と外殻１２との間に通気可能に形成された空間である。通気層１３に空気を通過させることにより断熱材１１に湿気等の水分が溜まることを防止している。通気層１３の幅等は限定されるものではなく、適宜設定することが可能である。
【００１９】
通気層１３の上端は、天井スラブ３により閉塞されている。一方、通気層１３の下端には、外殻１２と床スラブ４との間に隙間を設けることにより開口部１４が形成されている。
開口部１４は、通気層１３と屋外６とを連通し、後記する排気孔２１よりも下方にのみ形成されており、排気孔２１よりも上方には形成しないものとする。
【００２０】
排気設備２の排気管２０の排気孔２１は、通気層１３の上部に配置されている。排気設備２を介して排気管２０へ送気された屋内の空気ａは、排気孔２１を通って通気層１３内に送り込まれる。
通気層１３内に送り込まれた屋内の空気ａは、通気層１３の下部（外殻１２の下部）に形成された開口部１４から屋外６へと排気される。
【００２１】
排気設備２は、屋内の空気ａを屋外へ排出する装置であって、図１に示すように、天井スラブ３に吊持された状態で配置されている。排気設備２は、外断熱壁１の上部において通気層１３に接続する排気管２０と、屋内の空気ａを排気管２０を介して通気層１３へ送り出す送風機２２と、を備えている。なお、排気設備２の構成は限定されるものではなく、適宜設定することが可能である。
【００２２】
送風機２２は、天井スラブ３と天井板３０との間に形成された天井裏空間３１に配置されており、天井スラブ３に固定された治具２３を介して天井スラブ３に吊持されている。なお、送風機２２の固定方法は限定されるものではない。
【００２３】
送風機２２には、図２にも示すように、吸気管２４と排気管２０とが接続されている。吸気管２４は、室内から送風機２２へ至る管路である。
【００２４】
排気管２０は、図１および図２に示すように、吸気管２４を介して室内から取り込まれた屋内の空気ａを、通気層１３に送り出す管路であって、先端部が壁本体１０と断熱材１１を貫通して通気層１３に接続されている。
【００２５】
排気管２０を構成する材料は限定されるものではなく、適宜公知の材料の中から選定して採用すればよい。また、本実施形態では、排気管２０として、円形断面のものを採用するものとしたが、排気管２０の断面形状は限定されるものではなく、例えば矩形断面でもよい。また、吸気管２４を構成する材料は、排気管２０と同様のものを使用する。
【００２６】
排気管２０は、図３に示すように、先端部の周壁を切り欠くことにより、排気孔２１，２１が形成されている。排気孔２１，２１は、排気管２０の左右両側に形成されている。
【００２７】
排気管２０は、図２に示すように、先端面が、外殻１２の内側面に突き合わされた状態で配管されており、排気管２０に送り込まれた屋内の空気ａは、左右の排気孔２１，２１を介して水平方向（図２中の左右方向）に排出される。
【００２８】
排気管２０により通気層１３に送気された屋内の空気ａは、図４に示すように、通気層１３内において排気孔２１，２１から水平方向に排出された後、斜め下方へ向かい、最終的には通気層１３の下部に形成された開口部１４から屋外へと排出される。
【００２９】
以上、本実施形態の断熱構造Ａによれば、屋内の空気ａを屋外に排気する際に、通気層を通過させることで、断熱材の外表面（屋外６側表面）を室内温度（屋内５の温度）に近づけることが可能となる。そのため、外断熱壁１による断熱効果がより高まる。故に、居室内の排熱エネルギーを有効に利用することが可能となる。
【００３０】
また、排気管２０が、屋内の空気ａを水平方向に排出するように構成されているため、通気層１３内の全体に屋内の空気ａを送ることが可能となる。そのため、通気層１３内の温度分布を均一化に貢献する。
【００３１】
なお、夏期は、排気される屋内の空気ａの温度の方が外気の温度よりも低いため、通気層１３の上部に排出された屋内の空気ａは、通気層１３の下部に自然に流れようとする。そのため、通気層１３内において排気管２０から離れた位置まで室内の空気ａが届くように送風機２２による送風量を調整し、通気層１３内全体に室内の空気ａを送る込むものとする。
一方、冬期は、送風機２２により屋内の空気ａを通気層１３に送り込むと、外気よりも温度の高い屋内の空気ａは、通気層１３の上部に滞留しながら次第に冷えて下部に移動し屋外へと排出する。そのため、送風機２２の送風量が夏期よりも少なくても、通気層１３内の空気を開口部１４から押し出す流れを形成する。
【００３２】
また、排気管２０を直接屋外に接続するのではなく、通気層１３に接続することで、排気ガラリが外壁（外殻１２）の外面に露出することがないため、意匠的な設計の自由度が増す。
【００３３】
以上、本発明について、好適な実施形態について説明した。しかし、本発明は、前述の各実施形態に限られず、前記の各構成要素については、本発明の趣旨を逸脱しない範囲で、適宜設計変更が可能であることは言うまでもない。
【００３４】
例えば、前記実施形態では、排気管２０の切り欠き部（排気孔２１）から屋内の空気ａを水平方向に排気するものとしたが、水平方向に排気するための構成は限定されるものではない。例えば、図５（ａ）に示すように、通気層１３内において、水平方向に配管された水平管２５に排気管２０を接続してもよい。水平管２５には、複数の排気孔２６，２６，…を形成しておく。このようにすると、通気層１３の全体に屋内の空気ａを送り込むことが可能となる。
【００３５】
また、前記実施形態では、屋内の空気ａを水平方向に排気するものとしたが、必ずしも水平方向に排気する必要はない。このように、水平方向に屋内の空気ａを排気しない場合には、排気管２０を、図５（ｂ）に示すように、通気層１３に開口させるだけでよい。
【図面の簡単な説明】
【００３６】
【図１】本発明の好適な実施の形態に係る断熱構造の概要を示す縦断面図である。
【図２】図１に示す断熱構造を示す平断面図である。
【図３】図１に示す断熱構造の排気管を示す斜視図である。
【図４】図１に示す断熱構造のＸ−Ｘ断面図である。
【図５】（ａ）および（ｂ）は本発明に係る断熱構造の変形例を示す平断面図である。
【図６】従来の断熱構造の概要を示す縦断面図である。
【符号の説明】
【００３７】
１    外断熱壁
１０  壁本体
１１  断熱材
１２  外殻
１３  通気層
１４  開口部
２    排気設備
２０  排気管
２１  排気孔
Ａ    断熱構造
ａ    屋内の空気
【図１】
2010031578.tif 000003
【図２】
2010031578.tif 000004
【図３】
2010031578.tif 000005
【図４】
2010031578.tif 000006
【図５】
2010031578.tif 000007
【図６】
2010031578.tif 000008